【手続補正書】
【提出日】令和2年9月7日(2020.9.7)
【手続補正１】
【補正対象書類名】明細書
【補正対象項目名】０１１３
【補正方法】変更
【補正の内容】
【０１１３】
さらに多くの修正および変形が、ほんの一例として提供されて、添付のクレームによってのみ決定される本発明の範囲を制限することを意図していない、前述の例示的な実施形態を参照すれば、当業者には思い付くであろう。具体的には、異なる実施形態からの異なる特徴が、適切な場合には、置き換えられ得る。
［付記１］
光学デバイスから取得された場面を表す信号を符号化するためのコンピュータ実装方法であって、前記方法は、前記光学デバイスのセンサーの少なくとも１つの画素に対して、
‐前記画素によって検知された光線を表す第１のセットのパラメータと、
‐前記第１のセットのパラメータから前記光線を再構築するために使用されることを意図した第２のセットのパラメータと、
‐前記第１のセットのパラメータによって表される前記光線の、前記場面の少なくとも１つの物体との交点の前記光学デバイスの光軸に沿った位置を表す第３のセットのパラメータと、
‐前記画素によって検知された前記場面の前記物体の色データを表す第４のセットのパラメータと
を符号化することを含み、
前記第３のセットのパラメータは、前記第４のセットのパラメータおよび前記再構築された光線と一緒に、前記場面を表す点群を再構築するためのものである、
コンピュータ実装方法。
［付記２］
前記第１のセットのパラメータの少なくとも１つのパラメータは、前記光線の座標と、前記光学系の複数の画素によって検知された複数の光線の座標のセットに適合する平面との間の距離を表し、前記第２のセットのパラメータの少なくとも１つのパラメータは、前記適合平面の座標を表す、付記１に記載の方法。
［付記３］
前記第１のセットのパラメータの少なくとも１つのパラメータが、
‐前記画素によって検知された前記光線を表す値と、前記センサーの行において前記画素に先行する別の画素によって検知された光線を表す値との間の差、または
‐前記画素が前記センサーの行の第１の画素である場合、前記画素によって検知された前記光線を表す値と、前記画素が属する前記行に先行する行の第１の画素によって検知された光線を表す値との間の差
を表す、付記１に記載の方法。
［付記４］
前記第１のセットのパラメータの前記パラメータを符号化するために独立したコーデックが使用される、付記１から３のいずれかに記載の方法。
［付記５］
前記第２のセットのパラメータが、前記第１のセットのパラメータの最後の送信以後に、前記第１のセットのパラメータが変化していないことを示すパラメータを含む場合、前記第２のセットのパラメータだけが送信される、付記１から４のいずれかに記載の方法。
［付記６］
光学デバイスから取得された場面を表す信号を符号化するための装置であって、前記装置は、前記光学デバイスのセンサーの少なくとも１つ画素に対して：
‐前記画素によって検知された光線を表す第１のセットのパラメータと、
‐前記第１のセットのパラメータから前記光線を再構築するために使用されることを意図した第２のセットのパラメータと、
‐前記第１のセットのパラメータによって表される前記光線の、前記場面の少なくとも１つの物体との交点の前記光学デバイスの光軸に沿った位置を表す第３のセットのパラメータと、
‐前記画素によって検知された前記場面の前記物体の色データを表す第４のセットのパラメータと
を符号化するように構成されたプロセッサを含み、
前記第３のセットのパラメータは、前記第４のセットのパラメータおよび前記再構築され
た光線と一緒に前記場面を表す点群を再構築するためのものである、
装置。
［付記７］
光学デバイスから取得された場面を表す点群を再構築するためのコンピュータ実装方法であって、前記方法は：
‐次を含む信号：
・前記光学デバイスのセンサーの少なくとも１つの画素によって検知された光線を表す第１のセットのパラメータ、
・前記復号された第１のセットのパラメータから前記ライトフィールドコンテンツを再構築するために使用されることを意図した第２のセットのパラメータ、
・前記第１のセットのパラメータによって表される前記光線の、前記場面の少なくとも１つの物体との交点の前記光学デバイスの光軸に沿った位置を表す第３のセットのパラメータ、
・前記画素によって検知された前記場面の前記物体の色データを表す第４のセットのパラメータ
を復号することと、
‐前記復号された第１のセットのパラメータ、前記復号された第２のセットのパラメータ、前記復号された第３のセットのパラメータおよび前記復号された第４のセットのパラメータに基づいて前記点群を再構築することと
を含む、コンピュータ実装方法。
［付記８］
前記点群を再構築することは、
‐前記センサーの少なくとも１つの画素に対して：
・前記光線の、前記場面の少なくとも１つの物体との前記交点に対応する点の３次元空間内の位置と、
・前記点がそれに沿って前記光学デバイスによって見られる視野角と
を計算することと、
‐前記計算された点に、前記センサーの前記画素によって検知された前記色データを表す前記パラメータを関連付けることと
を含む、付記７に記載の方法。
［付記９］
光学デバイスから取得された場面を表す点群を再構築するための装置であって、前記装置は：
‐次を含む信号：
・前記光学デバイスのセンサーの少なくとも１つの画素によって検知された光線を表す第１のセットのパラメータ、
・前記復号された第１のセットのパラメータから前記ライトフィールドコンテンツを再構築するために使用されることを意図した第２のセットのパラメータ、
・前記第１のセットのパラメータによって表される前記光線の、前記場面の少なくとも１つの物体との交点の前記光学デバイスの光軸に沿った位置を表す第３のセットのパラメータ、
・前記画素によって検知された前記場面の前記物体の色データを表す第４のセットのパラメータ
を復号することと、
‐前記復号された第１のセットのパラメータ、前記復号された第２のセットのパラメータ、前記復号された第３のセットのパラメータおよび前記復号された第４のセットのパラメータに基づいて前記点群を再構築することと
を行うように構成されたプロセッサを含む、
装置。
［付記１０］
光学デバイスから取得された場面を表す信号を符号化するために装置によって送信される信号であって、前記信号は、前記光学デバイスのセンサーの少なくとも１つの画素に対して：
‐前記画素によって検知された光線を表す第１のセットのパラメータと、
‐前記第１のセットのパラメータから前記光線を再構築するために使用されることを意図した第２のセットのパラメータと、
‐前記第１のセットのパラメータによって表される前記光線の、前記場面の少なくとも１つの物体との交点の前記光学デバイスの光軸に沿った位置を表す第３のセットのパラメータと、
‐前記画素によって検知された前記場面の前記物体の色データを表す第４のセットのパラメータと
を含む、メッセージを伝達し、
前記第３のセットのパラメータは、前記第４のセットのパラメータおよび前記再構築された光線と一緒に前記場面を表す点群を再構築するためのものである、
信号。
［付記１１］
光学デバイスから取得された場面を表すデータを含むデジタルファイルであって、前記データは、前記光学デバイスのセンサーの少なくとも１つの画素に対して：
‐前記画素によって検知された光線を表す第１のセットのパラメータと、
‐前記第１のセットのパラメータから前記光線を再構築するために使用されることを意図した第２のセットのパラメータと、
‐前記第１のセットのパラメータによって表される前記光線の、前記場面の少なくとも１つの物体との交点の前記光学デバイスの光軸に沿った位置を表す第３のセットのパラメータと、
‐前記画素によって検知された前記場面の前記物体の色データを表す第４のセットのパラメータと
を含み、
前記第３のセットのパラメータは、前記第４のセットのパラメータおよび前記再構築された光線と一緒に前記場面を表す点群を再構築するためのものである、
デジタルファイル。
［付記１２］
コンピュータプログラムであって、前記プログラムがプロセッサによって実行される場合に付記１から５のいずれかに記載の前記方法の前記実装のためのプログラムコード命令を含むことを特徴とする、コンピュータプログラム。
［付記１３］
コンピュータプログラムであって、前記プログラムがプロセッサによって実行される場合に付記７から８のいずれかに記載の前記方法の前記実装のためのプログラムコード命令を含むことを特徴とする、コンピュータプログラム。